(57)【特許請求の範囲】
【請求項１】
ユーザーの身分情報を取得するステップと、
前記身分情報に対応する動作モードを選択するステップと、
前記動作モードにおける基地局配置パラメーターに対して配置管理を行うことを前記ユーザーに提示するステップと、を含んで構成され、
前記動作モードは普通モードと高級モードを含み、前記普通モードでは日常保守パラメーター配置を行うことを許して、前記高級モードでは可変なパラメーター又は機能全体に対して配置を行うことを許し、
前記ユーザーの身分情報を取得する前に、さらに
前記基地局が前記普通モード又は前記高級モードで起動するステップと、
ローカル保守端末ＬＭＴ又は操作保守センターＯＭＣが前記基地局にアクセスするステップと、を含むことを特徴とする基地局配置の管理方法。
【請求項２】
前記ＬＭＴ又は前記ＯＭＣが前記基地局にアクセスする前に、さらに、
前記基地局が前記ＬＭＴ又は前記ＯＭＣからのアクセス要求情報を受信した後、安全策略により、前記ＬＭＴ又は前記ＯＭＣのアクセスを許すことを判断するステップを含むことを特徴とする請求項１に記載の基地局配置の管理方法。
【請求項３】
前記身分情報に対応する動作モードを選択するステップは、
前記ＬＭＴ又は前記ＯＭＣが、前記身分情報により、前記ユーザー身分情報に対応する動作モードを選択するステップと、
前記基地局が、その動作モードが前記ＬＭＴ又は前記ＯＭＣの動作モードに一致するかどうかを確定し、一致しないと、その動作モードを前記ＬＭＴ又は前記ＯＭＣの動作モードに切り替えるステップと、
を含むことを特徴とする請求項１に記載の基地局配置の管理方法。
【請求項４】
前記基地局が前記普通モード又は前記高級モードで起動するステップは、
前記基地局が、前記普通モードと前記高級モードにおける前記身分情報及び対応する配置パラメーターをロードすることを含むことを特徴とする請求項１に記載の基地局配置の管理方法。
【請求項５】
ユーザーが入力する身分情報を取得するための取得モジュールと、
動作モードは普通モードと高級モードを含み、前記身分情報に対応する前記動作モードを選択するための選択モジュールと、
前記動作モードにおける基地局配置パラメーターに対して配置管理を行うことを前記ユーザーに提示するための操作モジュールと、
前記基地局が前記普通モード又は前記高級モードで起動した後、ローカル保守端末ＬＭＴ又は操作保守センターＯＭＣからのアクセス要求情報を受信する受信モジュールと、
前記受信モジュールが前記アクセス要求情報を受信した場合に、安全策略により、前記ＬＭＴ又は前記ＯＭＣをアクセスするアクセスモジュールと、
前記ＬＭＴ又は前記ＯＭＣの動作モードが前記基地局の動作モードに一致しない場合に、前記基地局の動作モードを前記ＬＭＴ又は前記ＯＭＣの動作モードに切り替える切り替えモジュールと、を含み、
前記選択モジュールはさらに、前記動作モードが普通モードである場合に、日常保守パラメーター配置を行うことを許し、前記動作モードが高級モードである場合に、可変なパラメーター又は機能全体に対して配置を行うことを許すことを特徴とする基地局配置の管理装置。
【発明の詳細な説明】
【技術分野】
【０００１】
本発明は通信設備管理分野に係り、特に、基地局配置の管理方法及び装置に関する。
【背景技術】
【０００２】
移動通信は、第１世代のアナログ音声業務から、第２世代のデジタル音声業務、第３世代のデジタル音声とデータ業務を経て、第３世代以降の広帯域と多機能集積業務まで迅速に発展していて、基地局設計の複雑度が増加し、これに伴い基地局配置管理に対する要求もさらに高度になった。
【０００３】
基地局に対する配置管理は、基地局が正常に動作するためであり、さらに最適化した状態で動作できるためである。基地局に対する配置は、物理配置、伝送配置及び無線資源配置等がある。
エンジニアリングスタッフはローカル保守端末（Ｌｏｃａｌ  Ｍａｉｎｔｅｎａｎｃｅ  Ｔｅｒｍｉｎａｌ、ＬＭＴと略称）により基地局に対して現場オープニングデバッグ作業と日常基地局保守とを行い、局方保守スタッフは、操作保守センター（Ｏｐｅｒａｔｉｏｎ  Ｍａｉｎｔｅｎａｎｃｅ  Ｃｅｎｔｅｒ、ＯＭＣと略称）により基地局に対して日常保守とアップグレードを行う。
エンジニアリングと保守スタッフとは、基地局の配置可能なパラメーターに対してある程度の理解が必要であるが、データ量の増加に従い、エンジニアリングと保守スタッフに対する要求も高くなり、基地局に対する配置管理の難度も大きくなる。
【０００４】
関連技術において、基地局に対する配置管理には以下のような問題が存在するものである。
１．  管理は階層がないこと。フォアグラウンド全体の配置可能なデータをバックグラウンドのユーザー全体に完全に暴露し、基地局配置管理の権限が不明確になり、日常保守スタッフの動作量を増加する。
２．  操作が簡易ではないこと。日常保守スタッフは基地局の配置可能なパラメーター全体を理解する必要があるので、日常保守の難度が上がり、効率に影響し、操作と保守コストが増加する。
【０００５】
このため、上述した関連技術における問題を解決する、基地局配置の管理に用いる方案が求められている。
【発明の概要】
【発明が解決しようとする課題】
【０００６】
本発明は、関連技術において基地局配置管理の権限が不明確なために保守難度が増加し保守コストが上がるという問題に鑑みて、少なくとも上述した問題の１つを解決する基地局配置の管理方法及び装置を提供することを目的とする。
【課題を解決するための手段】
【０００７】
本発明の一形態である基地局配置の管理方法は、ユーザーの身分情報を取得するステップと、ユーザー身分情報に対応する動作モードを選択するステップと、前記動作モードにおける基地局配置パラメーターに対して配置管理を行うことを前記ユーザーに提示するステップとを含を含んで構成され、前記動作モードは普通モードと高級モードを含み、前記普通モードでは日常保守パラメーター配置を行うことを許して、前記高級モードでは可変なパラメーター又は機能全体に対して配置を行うことを許し、前記ユーザーの身分情報を取得する前に、さらに前記基地局が前記普通モード又は前記高級モードで起動するステップと、ローカル保守端末ＬＭＴ又は操作保守センターＯＭＣが前記基地局にアクセスするステップと、を含むことを特徴とする。
【０００９】
さらに、ユーザーの身分情報を取得する前に、基地局が普通モード又は高級モードで起動するステップと、ＬＭＴ又はＯＭＣが基地局にアクセスするステップとをさらに含む。
【００１０】
さらに、ＬＭＴ又はＯＭＣが基地局にアクセスするステップ前に、基地局がＬＭＴ又はＯＭＣからのアクセス要求情報を受信した後、安全策略により、ＬＭＴ又はＯＭＣがアクセスを行うことを許すかどうかを判断することをさらに含む。
【００１１】
さらに、ユーザー身分情報に対応する動作モードを選択するステップは、ＬＭＴ又はＯＭＣが、身分情報により、身分情報に対応する動作モードを選択するステップと、基地局が、その動作モードがＬＭＴ又はＯＭＣの動作モードに一致するかどうかを確定し、一致しないと、その動作モードをＬＭＴ又はＯＭＣの動作モードに切り替えるステップとを含む。
【００１３】
さらに、基地局が普通モード又は高級モードで起動するステップは、基地局が普通モードと高級モードにおけるユーザー身分情報及び対応する配置パラメーターをロードすることを含む。
【００１４】
本発明の他の形態である基地局配置の管理装置は、基地局配置の管理装置ユーザーが入力する身分情報を取得する取得モジュールと、動作モードは普通モードと高級モードを含み、ユーザーの身分情報に対応する前記動作モードを選択する選択モジュールと、動作モードにおける基地局配置パラメーターに対して配置管理を行うことをユーザーに提示するための操作モジュールと、前記基地局が前記普通モード又は前記高級モードで起動した後、ローカル保守端末ＬＭＴ又は操作保守センターＯＭＣからのアクセス要求情報を受信する受信モジュールと、前記受信モジュールが前記アクセス要求情報を受信した場合に、安全策略により、前記ＬＭＴ又は前記ＯＭＣをアクセスするアクセスモジュールと、前記ＬＭＴ又は前記ＯＭＣの動作モードが前記基地局の動作モードに一致しない場合に、前記基地局の動作モードを前記ＬＭＴ又は前記ＯＭＣの動作モードに切り替える切り替えモジュールと、を含み、前記選択モジュールはさらに、前記動作モードが普通モードである場合に、日常保守パラメーター配置を行うことを許し、前記動作モードが高級モードである場合に、可変なパラメーター又は機能全体に対して配置を行うことを許すことを特徴とする。
【００１６】
さらに、該装置は、基地局が普通モード又は高級モードで起動した後、ＬＭＴ又はＯＭＣからのアクセス要求情報を受信する受信モジュールと、受信モジュールがアクセス要求情報を受信した場合に、安全策略により、ＬＭＴ又はＯＭＣをアクセスするアクセスモジュールと、ＬＭＴ又はＯＭＣの動作モードと基地局の動作モードとが一致しない場合に、基地局の動作モードをＬＭＴ又はＯＭＣ的動作モードに切り替える切り替えモジュールと、を含む。
【発明の効果】
【００１７】
本発明によれば、基地局に対する普通と高級との二種からなる相異なる管理動作モードを用いているので、関連技術において基地局配置管理の権限が不明確なために保守の難度が増加して保守コストが増加するという問題を解決し、普通保守スタッフの動作を簡単にし、普通保守スタッフの仕事効率を上げ、操作と保守コストを節約し、高級配置管理スタッフの基地局に対する管理レベルを向上し、基地局データをさらに最適化することができる。
【００１８】
本発明の他の特徴及びメリットは、明細書における説明からさらに明確になり、又は本発明を実施することによって把握できる。本発明の目的及び他のメリットは、発明の詳細な説明、特許請求の範囲、及び、図面に特別に指摘された構造によって実現される。
【図面の簡単な説明】
【００１９】
ここで説明する図面は、本発明を理解させるためのものであり、本発明の一部を構成し、本発明における実施例と共に本発明を解釈するためのものであって、本発明を不当に限定するものではない。図面において、
【図１】本発明の実施例に係る基地局配置の管理方法を示すフローチャートである。
【図２】本発明の好適な実施例に係る基地局配置の管理装置を示すブロック図である。
【図３】本発明の好適な実施例に係る基地局配置の管理方法を示すフローチャートである。
【図４】本発明の好適な実施例に係るバックグラウンドとフォアグラウンドとの間の交換を時系列に示す図である。
【図５】本発明好適な実施例に係るバックグラウンドがアクセス要求応答情報を受信した後の初期化フローチャートである。
【図６】本発明の好適な実施例に係る普通モード下の基地局配置管理のフローチャートである。
【図７】本発明の好適な実施例に係る高級モード下の基地局配置管理のフローチャートである。
【図８】本発明の好適な実施例に係る動作過程においてユーザーインターフェース切り替えのフローチャートである。
【発明を実施するための形態】
【００２０】
以下、図面と実施例を参照しながら、本発明を詳しく説明する。特に説明するのは、互いに矛盾しない限り、本案における実施例及び実施例における特徴を相互に組み合わせてもよい。
【００２１】
図１は本発明の実施例に係る基地局配置の管理方法のフローチャートを示す。
図１に示すように、該実施例における基地局配置の管理方法は、ユーザーの身分情報を取得するステップＳ１０２と、身分情報に対応する動作モードを選択するステップＳ１０４と、該動作モード下の基地局配置パラメーターに対する配置管理をユーザーに提示するステップＳ１０６と、を含む。
【００２２】
該動作モードは普通モードと高級モードを含むことが好ましい。
【００２３】
そして、好ましくは、ステップＳ１０２の前に、基地局が普通モード又は高級モードで起動でき、例えば、基地局が起動するとき、普通モードと高級モードにおけるユーザー身分情報及び対応する配置パラメーターをロードでき、並びに、ＬＭＴ又はＯＭＣが基地局にアクセスする。
具体的な実施過程において、ＬＭＴ又はＯＭＣが基地局にアクセスするステップ前に、基地局がＬＭＴ又はＯＭＣからのアクセス要求情報を受信し、安全策略によりＬＭＴ又はＯＭＣがアクセスを行うことを許すかどうかを判断する。
【００２４】
好ましくは、ステップＳ１０４において、ＬＭＴ又はＯＭＣが身分情報により該身分情報に対応する動作モードを選択すること、及び、基地局はその動作モードがＬＭＴ又はＯＭＣの動作モードに一致するかどうかを判断し、一致しない場合に、その動作モードをＬＭＴ又はＯＭＣの動作モードに切り替えることである。
【００２５】
好ましくは、普通モードにおいて、日常保守パラメーター配置を行うことを許し、高級モードにおいて、可変なパラメーター又は機能全体に対して配置を行うことを許す。
【００２６】
図２は本発明の好適な実施例に係る基地局配置の管理装置のブロック図を示す。図２に示すように、基地局配置の管理装置２００は、ユーザーが入力する身分情報を取得する取得モジュール２０２と、取得モジュール２０２に結合され、身分情報に対応する動作モードを選択する選択モジュール２０４と、選択モジュール２０４に結合され、該動作モード下の基地局配置パラメーターに対する配置管理をユーザーに提示する操作モジュール２０６と、を含む。
【００２７】
好ましくは、選択モジュール２０４はさらに動作モードが普通モードである場合に、日常保守パラメーター配置を行うことを許し、動作モードが高級モードである場合に、可変なパラメーター又は機能全体に対して配置を行うことを許すことに用いる。
【００２８】
好ましくは、該装置は受信モジュール２０８とアクセスモジュール２１０と切り替えモジュール２１２とを含む。受信モジュール２０８は、取得モジュール２０２に結合され、基地局が普通モード又は高級モードで起動した後、ＬＭＴ又はＯＭＣからのアクセス要求情報を受信するためのものである。アクセスモジュール２１０は、受信モジュール２０８に結合され、受信モジュール２０８がアクセス要求情報を受信した場合に、安全策略によりＬＭＴ又はＯＭＣをアクセスするためのものである。切り替えモジュール２１２は、アクセスモジュール２１０と選択モジュール２０４に結合され、選択モジュール２０４が身分情報によりＬＭＴ又はＯＭＣの動作モードを確定し、且つＬＭＴ又はＯＭＣの動作モードと基地局の動作モードとが一致しない場合に、基地局の動作モードをＬＭＴ又はＯＭＣの動作モードに一致するように切り替えるためのものである。
【００２９】
上述した発明の実施例において、異なる管理動作モードにより基地局に対して配置管理を行うことは、配置管理が、異なるレベルスタッフの要求を満たすようになり、関連技術において基地局配置管理の権限が不明確であることによる保守の難度の増加とこれに伴う保守コストの増加という問題を解決して、普通保守スタッフの動作量と動作難度を低減でき、高級保守管理スタッフの基地局に対する配置管理レベルを向上し、基地局配置の正確性と效率を向上できる。
【００３０】
以下、図３を参照しながら、本発明の１つの実施例を説明する。
図３は本発明の好適な実施例に係る基地局配置の管理方法のフローチャートを示す。図３を参照し、該実施例の基地局配置の管理方法は、以下のステップＳ３０２〜ステップＳ３０８を含む。
【００３１】
バックグラウンドＬＭＴ又はＯＭＣ（以下、バックグラウンドで取り替えることができる）は、バックグラウンドユーザー情報をフォアグラウンド基地局（以下、フォアグラウンドで取り替えることができる）に配置する（ステップＳ３０２）。
【００３２】
フォアグラウンド基地局は、ユーザーを承認して、ユーザータイプ、ユーザー名とパスワードにより配置管理の相応動作モードを起動する（ステップＳ３０４）。
【００３３】
フォアグラウンドとバックグラウンドとは、現在の配置管理の動作モードにより、基地局に対して配置管理を行う（ステップＳ３０６）。
フォアバックグラウンドが正常に動作する途中において、バックグラウンドにより異なるユーザーが登録され、ユーザータイプとユーザー情報により動作モードの切り替えを行う（ステップＳ３０８）。
【００３４】
該実施例において、普通モードと高級モードを例として説明した。好ましくは、本発明のその他の実施例において、普通モードと高級モード以外のその他の動作モードを含んでもよく、即ち、その他の実施例において、二種又は複数種の動作モードを含んでもよい。
【００３５】
具体的な実施過程において、ステップＳ３０２は、さらに以下のステップＳ３０２−２乃至ステップＳ３０２−１２を含むことができる。
バックグラウンドがその起動したデフォルトな動作モードを普通モードとして、バックグラウンドがユーザー登録ダイアログボックスをポップアップする（ステップＳ３０２−２）。
【００３６】
バックグラウンドユーザーがユーザータイプにより普通又は高級ユーザーを選択できる（ステップＳ３０２−４）。
【００３７】
ユーザー名とユーザーパスワードを入力して、普通ユーザーを選択する場合、ユーザー名とパスワードを入力しなくてもよく、高級ユーザーを選択する場合、ユーザー名とパスワードを入力する必要がある（ステップＳ３０２−６）。
【００３８】
バックグラウンドがフォアグラウンドにユーザー登録要求を送信する（ステップＳ３０２−８）。
【００３９】
ユーザーが登録した後、バックグラウンドユーザーが必要に応じてそのユーザー名とパスワードを修正する（ステップＳ３０２−１０）。
【００４０】
バックグラウンドが、ユーザー名とパスワードの修正要求をフォアグラウンドに送信する（ステップＳ３０２−１２）。
【００４１】
具体的な実施過程において、ステップＳ３０４はさらに以下のステップＳ３０４−２乃至ステップＳ３０４−１４を含むことができる。
【００４２】
フォアグラウンドは、バックグラウンドユーザー登録要求を受信する（ステップＳ３０４−２）。
【００４３】
フォアグラウンドは、保存したユーザー情報により、ユーザータイプ、ユーザー名及びパスワードを比較し、登録を許すか否かを判断する（ステップＳ３０４−４）。
【００４４】
ユーザー情報が不正確である場合、バックグラウンドユーザーに情報が不正確であることを通知する（ステップＳ３０４−６）。
【００４５】
ユーザー情報が正確である場合、フォアグラウンド配置管理が配置管理動作モードを切り替え、成功である場合、バックグラウンドに通知する（ステップＳ３０４−８）。
【００４６】
動作モード切り替えが不成功である場合、バックグラウンドに動作モード切り替えを許さないことを通知する（ステップＳ３０４−１０）。
【００４７】
フォアグラウンドがユーザーの登録要求を承認した後、ユーザー名とパスワードの修正要求を受信する（ステップＳ３０４−１２）。
【００４８】
フォアグラウンドが規則により合法性を判断して、バックグラウンドに通知する（ステップＳ３０４−１４）。
【００４９】
具体的な実施過程において、ステップＳ３０６はさらに以下のステップＳ３０６−２乃至ステップＳ３０６−１０を含むことができる。
【００５０】
バックグラウンドはユーザー登録成功の応答を受信する（ステップＳ３０６−２）。
【００５１】
バックグラウンドは、動作モードにより操作インターフェースの切り替えを行う（ステップＳ３０６−４）。
【００５２】
バックグラウンドがユーザー情報が不正確であるという応答を受信した場合、バックグラウンドはユーザー情報を再び入力し、又は普通モードにおいて基地局に対して直接配置管理を行う（ステップＳ３０６−６）。
【００５３】
保守スタッフは、バックグラウンド切り替え後のインターフェースにより対応する基地局配置管理要求を送信する（ステップＳ３０６−８）。
【００５４】
フォアグラウンドは、配置要求により対応する配置処理を行う（ステップＳ３０６−１０）。
【００５５】
具体的な実施過程において、ステップＳ３０８はさらに以下のステップＳ３０８−２乃至ステップＳ３０８−８を含むことができる。
【００５６】
バックグラウンドによりユーザー登録を選択する（ステップＳ３０８−２）。
【００５７】
登録が成功した後、動作モードを切り替えるか否かを判断する（ステップＳ３０８−４）。
【００５８】
動作モードを切り替える必要があれば、動作している操作インターフェースをログオフし、動作モードにより操作インターフェース配置ファイルをリロードし、操作インターフェースを初期化する（ステップＳ３０８−６）。
【００５９】
切り替え後の初期化を完成する（ステップＳ３０８−８）。
【００６０】
この好適な実施例によれば、異なるユーザーに対して異なる動作モードを用い、即ち、普通モードにおいて基地局に対して配置管理を行い、高級モードにおいて基地局に対する可変なパラメーター全体の配置を完成でき、これにより、基地局が特殊又は最適化配置状態で動作するようになる。このため、該方法は、普通保守スタッフ動作操作を簡単にし、通保守スタッフの仕事効率を上げ、基地局に対する日常保守の難度と操作・保守コストを下げ、高級配置管理スタッフが基地局に対する管理程度を向上することができる。
【００６１】
以下、実施例によって本発明の実施例の実現過程を詳しく説明する。
図４は本発明の好適な実施例に係るバックグラウンドとフォアグラウンドとの間の交換を時系列に示す図であり、具体的には、以下のステップＳ４０２乃至ステップＳ４２４を含む。
【００６２】
基地局がデフォルトな動作モードにより起動し、デフォルト起動の動作モードが普通モードである場合、基地局が起動する時に、二種の動作モードにおけるユーザー情報と基地局上のその他のデータをロードする（ステップＳ４０２）。
【００６３】
基地局が起動した後にバックグラウンドのアクセスを許して、フォアグラウンドがバックグラウンドからのアクセス要求情報を受信すると、フォアグラウンドが安全策略によりアクセスを許すか否かを判断する（ステップＳ４０４）。
【００６４】
アクセスを許す場合、フォアグラウンドがデータをバックグラウンドに送信し、現在基地局動作の動作モードを含む。アクセスを許さない場合、間違いである旨の情報をバックグラウンドに送信し、バックグラウンドからのアクセスが失敗する（ステップＳ４０６）。
【００６５】
バックグラウンドからのアクセスが成功した後に、フォアグラウンドの動作モードにより対応する動作モードを起動し、バックグラウンドが成功情報を受信した後の初期化フローの詳細については図５を参照する（ステップＳ４０８）。
【００６６】
フォアグラウンド基地局がバックグラウンドＬＭＴ又はＯＭＣのユーザー登録要求情報を受信し、フォアグラウンドがバックグラウンドユーザータイプとユーザー情報により動作モード切り替えを行うか否かを判断し、フォアグラウンド基地局とバックグラウンドＬＭＴ又はＯＭＣ動作モードとを一致するように保持する（ステップＳ４１０）。
【００６７】
フォアグラウンドがユーザー登録応答情報をバックグラウンドに送信し、バックグラウンドが動作モードにより操作インターフェースを初期化する（ステップＳ４１２）。
【００６８】
バックグラウンド操作スタッフが必要に応じてユーザー情報を修正することができ、普通ユーザーがパスワードを入力しなくてもよい。高級モードにおいてユーザー名とパスワードを含む普通と高級ユーザーの情報を修正でき、普通モードにおいて普通のユーザー情報だけを修正できる（ステップＳ４１４）。
【００６９】
基地局がバックグラウンドＬＭＴ又はＯＭＣのユーザー情報修正要求を受信する（ステップＳ４１６）。
【００７０】
フォアグラウンド基地局がバックグラウンド要求によって、ユーザー情報を修正し、応答情報をバックグラウンドに送信する（ステップＳ４１８）。
【００７１】
バックグラウンド操作スタッフが、現在のインターフェースにより、前後基地局に対して配置管理を行う（ステップＳ４２０）。
【００７２】
フォアグラウンド基地局が配置情報により対応する配置を完成し、普通モードにおけるフォアグラウンド配置フローについては図６を参照し、高級モードにおけるフォアグラウンド配置フローについては図７を参照する（ステップＳ４２２）。
【００７３】
配置管理過程を終了する（ステップＳ４２４）。
【００７４】
図５は本発明の好適な実施例に係るバックグラウンドがアクセス要求応答情報を受信した後の初期化フローチャートであり、具体的には、以下のステップＳ５０２〜ステップＳ５１２を含む。
【００７５】
バックグラウンドＬＭＴ又はＯＭＣがフォアグラウンドからのアクセス要求応答情報を受信する（ステップＳ５０２）。
【００７６】
バックグラウンドが、フォアグラウンド基地局からのパラメーターを分析して、フォアグラウンドの現在動作の動作モードを得る（ステップＳ５０４）。
【００７７】
普通モードにおいてフォアグラウンドが動作している場合、バックグラウンドが普通モード操作インターフェースを直接に初期化する（ステップＳ５０６）。
【００７８】
高級モードにおいてフォアグラウンドが動作すると、バックグラウンド操作スタッフが普通ユーザーを選択する場合には、情報をフォアグラウンドに送信してフォアグラウンド動作モードを普通モードに切り替えさせ、バックグラウンドを普通モードに初期化し、高級ユーザーを選択する場合には、ユーザー名とパスワードを入力してフォアグラウンドに送信する（ステップＳ５０８）。
【００７９】
バックグラウンドがフォアグラウンドから、ユーザー情報が不正確である旨の応答を受信した場合、操作スタッフがさらに高級ユーザー情報を続けて入力してフォアグラウンドに送信し、ユーザーが普通ユーザーを選択すると、普通モード要求をフォアグラウンドに送信してフォアグラウンドを普通モードに切り替えるようになる（ステップＳ５１０）。
【００８０】
フォアグラウンドがユーザー情報を成功に検証すると、バックグラウンドに応答して、バックグラウンドが高級ユーザーインターフェースを初期化して、初期化フローを終了する（ステップＳ５１２）。
【００８１】
図６は本発明の好適な実施例に係る普通モードにおける基地局配置管理のフローチャートであり、具体的には、以下のステップＳ６０２乃至ステップＳ６０４を含む。
【００８２】
普通モードにおいてフォアグラウンドが動作する場合に、フォアグラウンドが、バックグラウンドＬＭＴ又はＯＭＣからの配置要求情報を受信する（ステップＳ６０２）。
【００８３】
フォアグラウンド基地局が配置パラメーターを分析し、配置タイプと配置パラメーターにより、フォアグラウンドが対応する演算を用いてこの機能の配置を必要とするパラメーター全体を計算する（ステップＳ６０４）。
【００８４】
以下、単板を増加することを例として、該配置管理過程を詳しく説明する。
バックグラウンドがあるスロットにあるタイプの単板を増加し、配置情報をフォアグラウンドに送信するステップ１と、
バックグラウンドがフォアグラウンドに配置したパラメーターが、単板のタイプと単板の物理位置情報を含むステップ２と、
フォアグラウンドが、単板物理位置情報により、単板のＩＰとＭＡＣアドレスを算出するステップ３と、
フォアグラウンドが、単板タイプにより、デフォルト機能リストパラメーターをロードするステップ４と、
フォアグラウンドが、機能リストパラメーターにより、単板が必要とするソフトウェアの名称を生成するステップ５と、
生成したソフトウェア名称により、この単板にソフトウェアをロードし、単板を正常に動作させるステップ６と、
フォアグラウンドが、配置タイプにより、これらパラメーターを相応するモジュールに送信するステップＳ６０６と、
相応するモジュールがこれらパラメーターを受信した後、底層のポート関数を用いて、データを有効にさせるステップＳ６０８と、
ステップＳ６０８での成功又は失敗状況により、応答情報をバックグラウンドに送信し、普通モードにおける基地局配置を完成するステップＳ６１０と、を含む。
【００８５】
図７は本発明の好適な実施例に係る高級モードにおける基地局配置管理のフローチャートであり、具体的には、以下のステップＳ７０２乃至ステップＳ７１０を含む。
【００８６】
高級モードにおいてフォアグラウンドが動作する場合に、フォアグラウンドがバックグラウンドＬＭＴ又はＯＭＣからの配置要求情報を受信する（ステップＳ７０２）。
【００８７】
フォアグラウンド基地局が配置パラメーターを分析し、配置パラメーターを相応するモジュールに送信する（ステップＳ７０４）。
【００８８】
相応するモジュールがこれらパラメーターを受信した後、データの配置を行う（ステップＳ７０６）。
【００８９】
フォアグラウンド基地局が応答情報をバックグラウンドに送信する（ステップＳ７０８）。
【００９０】
基地局が単板をリセットする必要があるか否かを判断し、必要と判断すると、リセットしてデータを有効にさせ、不必要と判断すると、新しく配置したデータを直接に使用し、高級モードにおける基地局配置を完成する（ステップＳ７１０）。
【００９１】
図８は本発明の好適な実施例に係る動作途中においてユーザーインターフェース切り替えがある場合のフローチャートであり、具体的には、以下のステップＳ８０２乃至ステップＳ８１２を含む。
【００９２】
バックグラウンドが動作途中において、ユーザー登録機能を選択して、ユーザー登録を行う（ステップＳ８０２）。
【００９３】
ユーザーが登録した後、動作モードが変化するかどうかを判断して、変化しない場合は、ステップＳ８０６に入り、動作モードを切り替える必要がある場合は、ステップＳ８０８に移行する（ステップＳ８０４）。
【００９４】
ユーザーを直接に切り替え、操作インターフェースを変更することなく、該フローを終了する（ステップＳ８０６）。
【００９５】
動作している動作インターフェースをログオフして、インターフェースを再び初期化するフローに移行する（ステップＳ８０８）。
【００９６】
動作モードが、対応する操作インターフェース配置ファイルをロードして、配置ファイルによりグラフィクスインターフェースをロードする（ステップＳ８１０）。
【００９７】
配置ファイルによりイメージ操作インターフェースとユーザー情報を初期化して、バックグラウンドユーザー切り替えを完成する（ステップＳ８１２）。
【００９８】
以上により、本発明の実施例によれば、普通と高級との二種異なる基地局に対する管理動作モードを提供し、普通モードにおいて、基地局に対して配置管理を行うことが、基地局の日常保守難度とコストを下げ、高級モードにおいて、基地局に対して可変なパラメーター全体の配置を完成でき、基地局が特殊又は最適化配置状態で動作するようになり、関連技術において基地局配置管理の権限が不明確であることにより保守の難度が増加して保守コストが増加する問題を解決し、普通保守スタッフ動作を簡単にし、さらに普通保守スタッフの仕事効率を向上し、操作と保守コストを節約し、高級配置管理スタッフの基地局に対する管理レベルを上げ、基地局データをさらに最適化できる。
【００９９】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【符号の説明】
【０１００】
２００    基地局配置の管理装置
２０２    取得モジュール
２０４    選択モジュール
２０６    操作モジュール
２０８    受信モジュール
２１０    アクセスモジュール
２１２    切り替えモジュール
【図１】
0005510873.tif 000002
【図２】
0005510873.tif 000003
【図３】
0005510873.tif 000004
【図４】
0005510873.tif 000005
【図５】
0005510873.tif 000006
【図６】
0005510873.tif 000007
【図７】
0005510873.tif 000008
【図８】
0005510873.tif 000009